(57)【要約】【課題】多数列のコンタクトを備えたコネクタであって伝送特性の劣化を生じさせることなく基板上における実装面積の小型化を図ることのできるコネクタを提供すること。【解決手段】  第１の端子部列ＲＴ１において、信号コンタクトＣ１１，Ｃ１２の対と信号コンタクトＣ１４，Ｃ１５の対との間に、信号コンタクトＣ２２，Ｃ２３の対を配置することにより、プラグとの嵌合側と比較して、信号コンタクトＣ１１，Ｃ１２の対と信号コンタクトＣ１４，Ｃ１５の対との間の距離を広げる。同様に、第３の端子部列ＲＴ３において、信号コンタクトＣ３１，Ｃ３２の対と信号コンタクトＣ３４，Ｃ３５の対との間に、信号コンタクトＣ４２，Ｃ４３の対を配置することにより、プラグとの嵌合側と比較して、信号コンタクトＣ３１，Ｃ３２の対と信号コンタクトＣ３４，Ｃ３５の対との間の距離を広げる。【選択図】図１５
2011090800.tif 000002
【特許請求の範囲】
【請求項１】
相手方コネクタに接続する接続部と接続対象物に接続する端子部とを略Ｌ字形状を有するように連結してなるコンタクトをそれぞれ複数有する第１乃至第４のコンタクトセットと前記第１乃至前記第４のコンタクトセットを保持するハウジングとを備えるコネクタであって、
前記第１のコンタクトセットには、２対の信号コンタクトが含まれており、
前記第３のコンタクトセットには、２対の信号コンタクトが含まれており、
前記第１乃至前記第４のコンタクトセットの前記接続部がそれぞれ第１乃至第４の接続部列を構成する一方で前記端子部が第１乃至第３の端子部列を構成するように、前記第１乃至前記第４のコンタクトセットの前記コンタクトは配列されており、
前記第１のコンタクトセットの前記２対の信号コンタクトは、前記第１の端子部列に含まれており、且つ、互いに離されて配置されており、
前記第３のコンタクトセットの前記２対の信号コンタクトは、前記第３の端子部列に含まれており、且つ、互いに離されて配置されている
コネクタ。
【請求項２】
請求項１記載のコネクタであって、
前記第１の端子部列には、前記第２のコンタクトセットの前記端子部も少なくとも一以上含まれており、
当該第２コンタクトセットの前記端子部は、前記第１の端子部列において、前記第１のコンタクトセットの前記２対の信号コンタクトの対と対との間に配置されており、それによって前記２対の信号コンタクトの対と対とは離されて配置されており、
前記第３の端子部列には、前記第４のコンタクトセットの前記端子部も少なくとも一以上含まれており、
当該第４コンタクトセットの前記端子部は、前記第３の端子部列において、前記第３のコンタクトセットの前記２対の信号コンタクトの対と対との間に配置されており、それによって前記２対の信号コンタクトの対と対とは離されて配置されている、
コネクタ。
【請求項３】
請求項２記載のコネクタであって、
前記第２のコンタクトセットの前記コンタクトには、１対の信号コンタクトが含まれており、
該第２のコンタクトセットの前記１対の信号コンタクトは、前記第１の端子部列において、前記第１のコンタクトセットの前記２対の信号コンタクトの対と対との間に配置されており、
前記第４のコンタクトセットの前記コンタクトには、１対の信号コンタクトが含まれており、
該第４のコンタクトセットの前記１対の信号コンタクトは、前記第３の端子部列において、前記第３のコンタクトセットの前記２対の信号コンタクトの対と対との間に配置されている
コネクタ。
【請求項４】
請求項１乃至請求項３のいずれかに記載のコネクタであって、
前記第１乃至前記第４のコンタクトセットには、電源コンタクト及びグランドコンタクトが含まれており、
前記第１の端子列と前記第３の端子列とに挟まれた前記第２の端子列には、前記電源コンタクト及び／又は前記グランドコンタクトのみが配されている
コネクタ。
【請求項５】
請求項１乃至請求項４のいずれかに記載のコネクタであって、
前記第２の端子列には、前記第１のコンタクトセットの一本の前記端子部と前記第３のコンタクトセットの一本の前記端子部が、前記コネクタを前記接続対象物に接続した際に前記接続対象物の単一の接続点に接続されるように、互いに重ねられるようにして配されている
コネクタ。
【請求項６】
請求項１乃至請求項５のいずれかに記載のコネクタであって、
前記ハウジングは、第１乃至第４の保持部材を備えており、
前記第１乃至前記第４の保持部材は、前記第１乃至前記第４のコンタクトセットの前記接続部をそれぞれ保持し、且つ、前記端子部の延びる方向に順にスタックされている
コネクタ。
【請求項７】
請求項６記載のコネクタであって、
前記第１のコンタクトセットは、２対の信号コンタクトとその対と対との間に配置されたグランドコンタクトとからなり、
前記第１の保持部材は、前記第１のコンタクトセットの前記２対の信号コンタクトの前記コンタクトの前記端子部が前記第１の端子部列に属する一方で前記グランドコンタクトの前記端子部が前記第２の端子部列に属するように、前記第１のコンタクトセットを保持しており、
前記第２のコンタクトセットは、１対の信号コンタクトと、該１対の信号コンタクトを挟むように配置された電源コンタクト及びグランドコンタクトとからなり、
前記第２の保持部材は、前記第２のコンタクトセットの前記１対の信号コンタクトの前記端子部が前記第１の端子部列に属する一方で前記電源コンタクト及び前記グランドコンタクトの前記端子部が前記第２の端子部列に属するように、前記第２のコンタクトセットを保持しており、
前記第３のコンタクトセットは、２対の信号コンタクトとその対と対との間に配置されたグランドコンタクトとからなり、
前記第３の保持部材は、前記第３のコンタクトセットの前記２対の信号コンタクトの前記コンタクトの前記端子部が前記第３の端子部列に属する一方で前記グランドコンタクトの前記端子部が前記第２の端子部列に属するように、前記第３のコンタクトセットを保持しており、
前記第４のコンタクトセットは、１対の信号コンタクトと、該１対の信号コンタクトを挟むように配置された電源コンタクト及びグランドコンタクトとからなり、
前記第４の保持部材は、前記第４のコンタクトセットの前記１対の信号コンタクトの前記端子部が前記第３の端子部列に属する一方で前記電源コンタクト及び前記グランドコンタクトの前記端子部が前記第２の端子部列に属するように、前記第４のコンタクトセットを保持している
コネクタ。
【請求項８】
請求項７記載のコネクタであって、
前記第１のコンタクトセットの前記グランドコンタクトの前記接続部には、前記第２コンタクトセットの前記信号コンタクトの前記端子部を前記第１の端子部列に配置可能とするための２つの凹部が形成されている
コネクタ。
【発明の詳細な説明】
【技術分野】
【０００１】
本発明は、２組以上のＵＳＢ（Universal Serial Bus）３．０のソケットを有するコネクタのように、多数列のコンタクトを備えたコネクタに関する。
【背景技術】
【０００２】
ＵＳＢ３．０規格によればコンタクトの数はソケットごとに９本となる。そのうち、４本のコンタクトは、ＵＳＢ２．０などと同機能を有するものであり、残りの５本のコンタクトが新たに追加されたものである。ＵＳＢ３．０規格において、追加された５本のコンタクトは、ＵＳＢ２．０などとの物理的な後方互換のため他の４本のコンタクトと区別して配置されている。そのため、ＵＳＢ３．０規格のソケット（例えば、規格Ａのソケット）の同規格のプラグとの嵌合面には２列のコンタクトの接続部が並ぶこととなる。即ち、２組のＵＳＢ３．０のソケットを有するコネクタは、嵌合面において４列のコンタクトの接続部を有することとなる。
【０００３】
２列の接続部列を有するソケットを２組備えたコネクタの小型化を図った技術としては、特許文献１記載に開示されたものがある。開示されたコネクタは、ＵＳＢ２．０に対して電力用のコンタクトを追加した規格用のソケットを２組有するものである。２組のソケットは、嵌合面において上下対称となるように配置されており、それによって嵌合面では４列となっているコンタクトを基板搭載面では３列とし、基板上における実装面積を小さくしている。
【先行技術文献】
【特許文献】
【０００４】
【特許文献１】特開２００３−６８４０７号公報
【発明の概要】
【発明が解決しようとする課題】
【０００５】
しかしながら、特許文献１の場合、電力用のコンタクトはソケット毎に２本であり、ＵＳＢ２．０規格のコンタクトに比較して少なかったため電力用のコンタクトをまとめることにより基板上における実装面積の小型化を図ることができたが、ＵＳＢ３．０規格において追加されたコンタクトの本数は５本であるので、２組のＵＳＢ３．０規格のソケットを有するコネクタに対して特許文献１の技術を適用しても基板上における実装面積の小型化を図ることは困難である。また、信号コンタクトの伝送特性が劣化する恐れもある。更には、２つのソケットが嵌合面において上下対称となるように配置されていることから、ユーザが取扱いに違和感を覚える可能性もある。
【０００６】
そこで、本発明は、多数列のコンタクトを備えたコネクタであって伝送特性の劣化を生じさせることなく基板上における実装面積の小型化を図ることのできるコネクタを提供することを目的とする。
【課題を解決するための手段】
【０００７】
本発明によれば、第１のコネクタとして、
相手方コネクタに接続する接続部と接続対象物に接続する端子部とを略Ｌ字形状を有するように連結してなるコンタクトをそれぞれ複数有する第１乃至第４のコンタクトセットと前記第１乃至前記第４のコンタクトセットを保持するハウジングとを備えるコネクタであって、
前記第１のコンタクトセットには、２対の信号コンタクトが含まれており、
前記第３のコンタクトセットには、２対の信号コンタクトが含まれており、
前記第１乃至前記第４のコンタクトセットの前記接続部がそれぞれ第１乃至第４の接続部列を構成する一方で前記端子部が第１乃至第３の端子部列を構成するように、前記第１乃至前記第４のコンタクトセットの前記コンタクトは配列されており、
前記第１のコンタクトセットの前記２対の信号コンタクトは、前記第１の端子部列に含まれており、且つ、互いに離されて配置されており、
前記第３のコンタクトセットの前記２対の信号コンタクトは、前記第３の端子部列に含まれており、且つ、互いに離されて配置されている
コネクタが得られる。
【０００８】
また、本発明によれば、第２のコネクタとして、第１のコネクタであって、
前記第１の端子部列には、前記第２のコンタクトセットの前記端子部も少なくとも一以上含まれており、
当該第２コンタクトセットの前記端子部は、前記第１の端子部列において、前記第１のコンタクトセットの前記２対の信号コンタクトの対と対との間に配置されており、それによって前記２対の信号コンタクトの対と対とは離されて配置されており、
前記第３の端子部列には、前記第４のコンタクトセットの前記端子部も少なくとも一以上含まれており、
当該第４コンタクトセットの前記端子部は、前記第３の端子部列において、前記第３のコンタクトセットの前記２対の信号コンタクトの対と対との間に配置されており、それによって前記２対の信号コンタクトの対と対とは離されて配置されている、
コネクタが得られる。
【０００９】
また、本発明によれば、第３のコネクタとして、第２のコネクタであって、
前記第２のコンタクトセットの前記コンタクトには、１対の信号コンタクトが含まれており、
該第２のコンタクトセットの前記１対の信号コンタクトは、前記第１の端子部列において、前記第１のコンタクトセットの前記２対の信号コンタクトの対と対との間に配置されており、
前記第４のコンタクトセットの前記コンタクトには、１対の信号コンタクトが含まれており、
該第４のコンタクトセットの前記１対の信号コンタクトは、前記第３の端子部列において、前記第３のコンタクトセットの前記２対の信号コンタクトの対と対との間に配置されている
コネクタが得られる。
【００１０】
また、本発明によれば、第４のコネクタとして、第１乃至第３のコネクタのいずれかであって、
前記第１乃至前記第４のコンタクトセットには、電源コンタクト及びグランドコンタクトが含まれており、
前記第１の端子列と前記第３の端子列とに挟まれた前記第２の端子列には、前記電源コンタクト及び／又は前記グランドコンタクトのみが配されている
コネクタが得られる。
【００１１】
また、本発明によれば、第５のコネクタとして、第１乃至第４のコネクタのいずれかであって、
前記第２の端子列には、前記第１のコンタクトセットの一本の前記端子部と前記第３のコンタクトセットの一本の前記端子部が、前記コネクタを前記接続対象物に接続した際に前記接続対象物の単一の接続点に接続されるように、互いに重ねられるようにして配されている
コネクタが得られる。
【００１２】
また、本発明によれば、第６のコネクタとして、第１乃至第５のコネクタのいずれかであって、
前記ハウジングは、第１乃至第４の保持部材を備えており、
前記第１乃至前記第４の保持部材は、前記第１乃至前記第４のコンタクトセットの前記接続部をそれぞれ保持し、且つ、前記端子部の延びる方向に順にスタックされている
コネクタが得られる。
【００１３】
また、本発明によれば、第７のコネクタとして、第６のコネクタであって、
前記第１のコンタクトセットは、２対の信号コンタクトとその対と対との間に配置されたグランドコンタクトとからなり、
前記第１の保持部材は、前記第１のコンタクトセットの前記２対の信号コンタクトの前記コンタクトの前記端子部が前記第１の端子部列に属する一方で前記グランドコンタクトの前記端子部が前記第２の端子部列に属するように、前記第１のコンタクトセットを保持しており、
前記第２のコンタクトセットは、１対の信号コンタクトと、該１対の信号コンタクトを挟むように配置された電源コンタクト及びグランドコンタクトとからなり、
前記第２の保持部材は、前記第２のコンタクトセットの前記１対の信号コンタクトの前記端子部が前記第１の端子部列に属する一方で前記電源コンタクト及び前記グランドコンタクトの前記端子部が前記第２の端子部列に属するように、前記第２のコンタクトセットを保持しており、
前記第３のコンタクトセットは、２対の信号コンタクトとその対と対との間に配置されたグランドコンタクトとからなり、
前記第３の保持部材は、前記第３のコンタクトセットの前記２対の信号コンタクトの前記コンタクトの前記端子部が前記第３の端子部列に属する一方で前記グランドコンタクトの前記端子部が前記第２の端子部列に属するように、前記第３のコンタクトセットを保持しており、
前記第４のコンタクトセットは、１対の信号コンタクトと、該１対の信号コンタクトを挟むように配置された電源コンタクト及びグランドコンタクトとからなり、
前記第４の保持部材は、前記第４のコンタクトセットの前記１対の信号コンタクトの前記端子部が前記第３の端子部列に属する一方で前記電源コンタクト及び前記グランドコンタクトの前記端子部が前記第２の端子部列に属するように、前記第４のコンタクトセットを保持している
コネクタが得られる。
【００１４】
更に、本発明によれば、第８のコネクタとして、第７のコネクタであって、
前記第１のコンタクトセットの前記グランドコンタクトの前記接続部には、前記第２コンタクトセットの前記信号コンタクトの前記端子部を前記第１の端子部列に配置可能とするための２つの凹部が形成されている
コネクタが得られる。
【発明の効果】
【００１５】
本発明によれば、干渉しそうな信号コンタクトの対を離すようにして配置したことから、４列の接続部列を３列の端子部列に配列変換することにより基板（接続対象物）上における実装面積の小型化を図りつつ、信号コンタクトの対と対との間のクロストークの低減を図ることができる。
【００１６】
特に、例えば、第３のコネクタのように、すべての信号コンタクトの対の端子部を第１又は第３の端子部列に配列することとすると、基板（接続対象物）上における配線パターンの引き回しを容易なものとすることができる。
【図面の簡単な説明】
【００１７】
【図１】本発明の実施の形態によるコネクタを底部側から見た状態を示す斜視図である。
【図２】図１のコネクタを上部側から見た場合を示す斜視図である。
【図３】図１のコネクタを示す正面図である。
【図４】図１のコネクタを示す底面図である。
【図５】図１のコネクタに含まれる第１の組立体を示す斜視図である。
【図６】図５の第１の組立体に含まれる第１のコンタクトセットを示す斜視図である。
【図７】図１のコネクタに含まれる第２の組立体を示す斜視図である。
【図８】図７の第２の組立体に含まれる第２のコンタクトセットを示す斜視図である。
【図９】図１のコネクタに含まれる第３の組立体を示す斜視図である。
【図１０】図９の第３の組立体に含まれる第３のコンタクトセットを示す斜視図である。
【図１１】図１のコネクタに含まれる第４の組立体を示す斜視図である。
【図１２】図１１の第４の組立体に含まれる第４のコンタクトセットを示す斜視図である。
【図１３】図６、図８、図１０及び図１２に示される第１乃至第４のコンタクトセットの配列を示す側面図である。
【図１４】図６、図８、図１０及び図１２に示される第１乃至第４のコンタクトセットの接続部列の配列を模式的に示す図である。
【図１５】図６、図８、図１０及び図１２に示される第１乃至第４のコンタクトセットの端子部列の配列を模式的に示す図である。
【図１６】図１のコネクタに含まれる第１シェル部を示す斜視図である。
【図１７】図１のコネクタに含まれる第２シェル部を示す斜視図である。
【図１８】図１のコネクタに含まれる第３シェル部を示す斜視図である。
【図１９】図１のコネクタの応用例を示す底面図である。
【発明を実施するための形態】
【００１８】
図１乃至図３に示されるように、本発明の実施の形態によるコネクタ１００は、２組のＵＳＢ３．０のソケット１０２，１０４を備え、基板（接続対象物：図示せず）に搭載されるものである。図示された２組のソケット１０２，１０４はＺ方向に並べられている。このソケット１０２，１０４には、ＵＳＢ３．０のプラグ（相手方コネクタ：図示せず）がそれぞれＹ方向に沿って挿入され、嵌合される。図１乃至図４から理解されるように、コネクタ１００は、プラグとの嵌合面と基板への搭載面とが直交しているライトアングルコネクタである。
【００１９】
図１乃至図３を参照すると、コネクタ１００は、概略、構造体２００と、それを覆うシェル５００とを備えている。シェル５００は、後述するように、プラグとの嵌合側に２つの開口５０２，５０４を有している。この２つの開口５０２，５０４は上述したソケット１０２，１０４の外形を規定している。
【００２０】
図１、図２、図５、図７、図９及び図１１を参照すると、構造体２００は、第１乃至第４の組立体２１０〜２４０を備えている。これら第１乃至第４の組立体２１０〜２４０は、Ｚ方向にスタックされている。
【００２１】
図５及び図６を参照すると、第１の組立体２１０は、第１のコンタクトセット３１０と、それを保持する絶縁体からなる第１の保持部材４１０とを備えている。
【００２２】
図６に示されるように、第１のコンタクトセット３１０は、２対の信号コンタクトＣ１１，Ｃ１２，Ｃ１４，Ｃ１５と、１本のグランドコンタクトＣ１３とからなる。即ち、本実施の形態における第１のコンタクトセット３１０は、ＵＳＢ３．０規格において追加された５本のコンタクトに対応する。信号コンタクトＣ１１，Ｃ１２，Ｃ１４，Ｃ１５及びグランドコンタクトＣ１３の各コンタクトは、プラグに接続される接続部３０２と基板に接続される端子部３０４とを備えている。接続部３０２は相手側コンタクトと接触する接点部３０３を有している。各接続部３０２は、概略、Ｙ方向に沿って延びており、各端子部３０４は、概略、Ｚ方向に沿って延びている。接続部３０２と端子部３０４とは、対応するコンタクトが略Ｌ字形状を有するように、連結されている。グランドコンタクトＣ１３は，Ｘ方向（ソケット１０４の幅方向：図３及び図１４参照）において信号コンタクトＣ１１，Ｃ１２の対と信号コンタクトＣ１４，Ｃ１５の対との間に設けられている。グランドコンタクトＣ１３の接続部３０２の後端（端子部３０４との連結部分近傍）には、Ｘ方向両側から内側に向かって凹む凹部３０６が形成されている。この凹部３０６のＹ方向における位置は、信号コンタクトＣ１１，Ｃ１２，Ｃ１４，Ｃ１５の端子部３０４のＹ方向における位置と略同じである。
【００２３】
図５及び図６から理解されるように、第１の保持部材４１０は、Ｙ方向に沿って延びる板部４１２と、板部４１２に形成された４本の溝部４１３と、位置決め部４１４とを備えている。板部４１２は、信号コンタクトＣ１１，Ｃ１２，Ｃ１４，Ｃ１５及びグランドコンタクトＣ１３の夫々の接続部３０２を保持している。この保持により、信号コンタクトＣ１１，Ｃ１２，Ｃ１４，Ｃ１５及びグランドコンタクトＣ１３の接続部３０２のプラグとの接点部３０３は、板部４１２の前縁部に配置されることになり、且つ、接続部３０２は１つの列（第１の接続部列ＲＣ１：後述）を構成することになる。また、信号コンタクトＣ１１，Ｃ１２，Ｃ１４，Ｃ１５の端子部３０４は同じ列（第１の端子部列ＲＴ１：後述）に配列されることになるが、グランドコンタクトＣ１３の端子部３０４は、それとは異なる端子部列（第２の端子部列ＲＴ２：後述）に配列されることになる。図示された位置決め部４１４は、凸部であり、第２の組立体２２０を第１の組立体２１０の上にスタックする際の位置決めに用いられる。
【００２４】
図７及び図８を参照すると、第２の組立体２２０は、第２のコンタクトセット３２０と、それを保持する絶縁体からなる第２の保持部材４２０とを備えている。
【００２５】
図８に示されるように、第２のコンタクトセット３２０は、１本のグランドコンタクトＣ２１と、１対の信号コンタクトＣ２２，Ｃ２３と、１本の電源コンタクトＣ２４とからなる。即ち、本実施の形態における第２のコンタクトセット３２０は、ＵＳＢ２．０規格対応のコンタクトである。グランドコンタクトＣ２１、信号コンタクトＣ２２，Ｃ２３及び電源コンタクトＣ２４の各コンタクトは、第１のコンタクトセット３１０の場合と同様、プラグに接続される接続部３０２と基板に接続される端子部３０４とを備えている。接続部３０２は相手側コンタクトと接触する接点部３０３を有している。信号コンタクトＣ２２，Ｃ２３は、Ｘ方向においてグランドコンタクトＣ２１と電源コンタクトＣ２４との間に設けられている。
【００２６】
図７及び図８から理解されるように、第２の保持部材４２０は、位置決め部４２４を備えており、グランドコンタクトＣ２１、信号コンタクトＣ２２，Ｃ２３及び電源コンタクトＣ２４の夫々の接続部３０２を保持している。この保持により、グランドコンタクトＣ２１、信号コンタクトＣ２２，Ｃ２３及び電源コンタクトＣ２４の接続部３０２は１つの列（第２の接続部列ＲＣ２：後述）を構成することになる。また、グランドコンタクトＣ２１及び電源コンタクトＣ２４の端子部３０４は同じ列（第２の端子部列ＲＴ２：後述）に配列されることになり、信号コンタクトＣ２２，Ｃ２３の端子部３０４はそれとは異なる端子部列（第１の端子部列ＲＴ１：後述）に配列されることになる。本実施の形態による位置決め部４２４は凹部であり、上面側と底面側に設けられている。第２の組立体２２０を第１の組立体２１０の上にスタックする際に、この位置決め部４２４を第１の保持部材４１０の位置決め部４１４と合わせることにより位置決めが行われる。この位置決め及びスタックにより、グランドコンタクトＣ２１、信号コンタクトＣ２２，Ｃ２３及び電源コンタクトＣ２４の接続部３０２は、接点部３０３を板部４１２から突出させた状態で、第１の保持部材４１０の溝部４１３内に部分的に収容されることになる。なお、収容後のグランドコンタクトＣ２１、信号コンタクトＣ２２，Ｃ２３及び電源コンタクトＣ２４の接続部３０２の接点部３０３の位置は、信号コンタクトＣ１１，Ｃ１２，Ｃ１４，Ｃ１５及びグランドコンタクトＣ１３の接続部３０２の接点部３０３の位置よりも奥側（即ち、コネクタ１００の内側）である。
【００２７】
本実施の形態においては、上述したように、第１のコンタクトセット３１０のグランドコンタクトＣ１３に凹部３０６が形成されていることから、第２の組立体２２０を第１の組立体２１０の上にスタックした際に、第２のコンタクトセット３２０の信号コンタクトＣ２２，Ｃ２３と第１のコンタクトセット３１０のグランドコンタクトＣ１３とを接触させることなく、第１のコンタクトセット３１０の信号コンタクトＣ１１，Ｃ１２，Ｃ１４，Ｃ１５の端子部３０４と第２のコンタクトセット３１０の信号コンタクトＣ２２，Ｃ２３の端子部３０４とを同じ端子部列（第１の端子部列ＲＴ１）に配列することができる。
【００２８】
図９及び図１０を参照すると、第３の組立体２３０は、第３のコンタクトセット３３０と、それを保持する絶縁体からなる第３の保持部材４３０とを備えている。
【００２９】
図１０に示されるように、第３のコンタクトセット３３０は、２対の信号コンタクトＣ３１，Ｃ３２，Ｃ３４，Ｃ３５と、１本のグランドコンタクトＣ３３とからなる。即ち、本実施の形態における第３のコンタクトセット３３０は、ＵＳＢ３．０規格において追加された５本のコンタクトに対応する。信号コンタクトＣ３１，Ｃ３２，Ｃ３４，Ｃ３５及びグランドコンタクトＣ３３の各コンタクトは、第１のコンタクトセット３１０の場合と同様、プラグに接続される接続部３０２と基板に接続される端子部３０４とを備えている。接続部３０２は相手側コンタクトと接触する接点部３０３を有している。グランドコンタクトＣ３３は，Ｘ方向において信号コンタクトＣ３１，Ｃ３２の対と信号コンタクトＣ３４，Ｃ３５の対との間に設けられている。最も外側の信号コンタクトＣ３１及びＣ３５の外側のエッジには、Ｘ方向両側から内側に向かって凹む凹部３０８が形成されている。この凹部３０８のＹ方向における位置は、グランドコンタクトＣ３３の端子部３０４のＹ方向における位置と略同じである。
【００３０】
図９及び図１０から理解されるように、第３の保持部材４３０は、Ｙ方向に沿って延びる板部４３２と、板部４３２に形成された４本の溝部４３３と、位置決め部４３４とを備えている。板部４３２は、信号コンタクトＣ３１，Ｃ３２，Ｃ３４，Ｃ３５及びグランドコンタクトＣ３３の夫々の接続部３０２を保持している。この保持により、信号コンタクトＣ３１，Ｃ３２，Ｃ３４，Ｃ３５及びグランドコンタクトＣ３３の接続部３０２のプラグとの接点部３０３は、板部４３２の前縁部に配置されることになり、且つ、接続部３０２は１つの列（第３の接続部列ＲＣ３：後述）を構成することになる。また、信号コンタクトＣ３１，Ｃ３２，Ｃ３４，Ｃ３５の端子部３０４は同じ列（第３の端子部列ＲＴ３：後述）に配列されることになるが、グランドコンタクトＣ３３の端子部３０４は、それとは異なる端子部列（第２の端子部列ＲＴ２：後述）に配列されることになる。本実施の形態による位置決め部４３４は凸部であり、底面側にも設けられている。第３の組立体２３０を第２の組立体２２０の上にスタックする際に、この位置決め部４３４を第２の保持部材４２０の位置決め部４２４と合わせることにより位置決めが行われる。この位置決め及びスタックにより、第１のコンタクトセット３１０のグランドコンタクトＣ１３と第３のコンタクトセット３３０のグランドコンタクトＣ３３とはＹ方向において接触又は近接位置に配置されることになる。これにより、コネクタ１００を基板（図示せず）に搭載した際に、第１のコンタクトセット３１０のグランドコンタクトＣ１３と第３のコンタクトセット３３０のグランドコンタクトＣ３３とは基板（図示せず）上の一つの接続点（単一の接続点）に接続されることとなる。
【００３１】
図１１及び図１２を参照すると、第４の組立体２４０は、第４のコンタクトセット３４０と、それを保持する絶縁体からなる第４の保持部材４４０とを備えている。
【００３２】
図１２に示されるように、第４のコンタクトセット３４０は、１本のグランドコンタクトＣ４１と、１対の信号コンタクトＣ４２，Ｃ４３と、１本の電源コンタクトＣ４４とからなる。即ち、本実施の形態における第４のコンタクトセット３４０は、ＵＳＢ２．０規格対応のコンタクトである。グランドコンタクトＣ４１、信号コンタクトＣ４２，Ｃ４３及び電源コンタクトＣ４４の各コンタクトは、第１のコンタクトセット３１０の場合と同様、プラグに接続される接続部３０２と基板に接続される端子部３０４とを備えている。接続部３０２は相手側コンタクトと接触する接点部３０３を有している。信号コンタクトＣ４２，Ｃ４３は、Ｘ方向においてグランドコンタクトＣ４１と電源コンタクトＣ４４との間に設けられている。
【００３３】
図１１及び図１２から理解されるように、第４の保持部材４４０は、位置決め部４４４を備えており、グランドコンタクトＣ４１、信号コンタクトＣ４２，Ｃ４３及び電源コンタクトＣ４４の夫々の接続部３０２を保持している。この保持により、グランドコンタクトＣ４１、信号コンタクトＣ４２，Ｃ４３及び電源コンタクトＣ４４の接続部３０２は１つの列（第４の接続部列ＲＣ４：後述）を構成することになる。また、グランドコンタクトＣ４１及び電源コンタクトＣ４４の端子部３０４は同じ列（第２の端子部列ＲＴ２：後述）に配列されることになり、信号コンタクトＣ４２，Ｃ４３の端子部３０４はそれとは異なる端子部列（第３の端子部列ＲＴ３：後述）に配列されることになる。本実施の形態による位置決め部４４４は凹部であり、上面側と底面側に設けられている（本実施の形態において実際に用いられる位置決め部４４４は底面側に設けられた位置決め部４４４である）。第４の組立体２４０を第３の組立体２３０の上にスタックする際に、この位置決め部４４４を第３の保持部材４３０の位置決め部４３４と合わせることにより位置決めが行われる。この位置決め及びスタックにより、グランドコンタクトＣ４１、信号コンタクトＣ４２，Ｃ４３及び電源コンタクトＣ４４の接続部３０２は、接点部３０３を板部４３２から突出させた状態で、第３の保持部材４３０の溝部４３３内に部分的に収容されることになる。なお、収容後のグランドコンタクトＣ４１、信号コンタクトＣ４２，Ｃ４３及び電源コンタクト４２４の接続部３０２の接点部３０３の位置は、信号コンタクトＣ３１，Ｃ３２，Ｃ３４，Ｃ３５及びグランドコンタクトＣ３３の接続部３０２の接点部３０３の位置よりも奥側（即ち、コネクタ１００の内側）である。
【００３４】
本実施の形態においては、上述したように、第３のコンタクトセット３３０の最も外側の信号コンタクトＣ３１，Ｃ３５に凹部３０８が形成されていることから、第４の組立体２４０を第３の組立体２３０の上にスタックした際に、第４のコンタクトセット３４０のグランドコンタクトＣ４１及び電源コンタクトＣ４４と第３のコンタクトセット３３０の信号コンタクトＣ３１，Ｃ３５とを接触させることなく、第４のコンタクトセット３４０のグランドコンタクトＣ４１及び電源コンタクトＣ４４の端子部３０４と第３のコンタクトセット３３０のグランドコンタクトＣ３３の端子部３０４とを同じ端子部列（第２の端子部列ＲＴ２）に配列することができる。
【００３５】
図１、図２、図５、図７、図９及び図１１並びに上述した内容から理解されるように、第１乃至第４の保持部材４１０〜４４０は、Ｚ方向にスタックされることにより、第１乃至第４のコンタクトセット３１０〜３４０を保持するハウジング４００として機能する。換言すると、本実施の形態におけるハウジング４００は、第１乃至第４の保持部材４１０〜４４０から構成される。しかしながら、本発明はこれに限定されるものではなく、第１乃至第４の保持部材４１０〜４４０の一部又は全部を一体成形して構成することとしても良い。その際に、第１乃至第４のコンタクトセット３１０〜３４０の一部又は全部をモールドインすることとしても良い。
【００３６】
上述したように、第１乃至第４の組立体２１０〜２４０をＺ方向にスタックすることにより構造体２００を構成することとすると、図３、図４及び図１３乃至図１５から理解されるように、プラグと接続される接続部３０２を第１乃至第４の接続部列ＲＣ１〜ＲＣ４に配列する一方で、基板上の接続パターンに接続される端子部３０４を第１乃至第３の端子部列ＲＴ１〜ＲＴ３に配列することができる。即ち、本実施の形態によれば、嵌合側では４列であったコンタクトを基板搭載側では３列になるように配列変換されており、この配列変換により、基板上の実装面積を小さくすることができる。
【００３７】
また、この配列変換の際に、信号コンタクトＣ１１，Ｃ１２の対、信号コンタクトＣ１４，Ｃ１５の対、信号コンタクトＣ２２，Ｃ２３の対、信号コンタクトＣ３１，Ｃ３２の対、信号コンタクトＣ３４，Ｃ３５の対、信号コンタクトＣ４２，Ｃ４３の対の各対は、同一の端子部列（ＲＴ１又はＲＴ３）に属しており、各対を構成するコンタクトが異なる端子部列に分かれて配列された場合と比較して、良好な伝送特性を得ることができる。
【００３８】
更に、信号コンタクトＣ１１，Ｃ１２，Ｃ１４，Ｃ１５，Ｃ２２，Ｃ２３の端子部３０４と、信号コンタクトＣ３１，Ｃ３２，Ｃ３４，Ｃ３５，Ｃ４２，Ｃ４３の端子部３０４とは、Ｙ方向において外側の端子部列（ＲＴ１，ＲＴ３）にそれぞれ配列されているので、例えば、２対の信号コンタクトＣ１１，Ｃ１２，Ｃ１４，Ｃ１５の端子部３０４と１対の信号コンタクトＣ２２，Ｃ２３の端子部３０４が千鳥配置され且つ２対の信号コンタクトＣ３１，Ｃ３２，Ｃ３４，Ｃ３５の端子部３０４と１対の信号コンタクトＣ４２，Ｃ４３の端子部３０４が千鳥配置された場合と比較して、基板上の配線パターンの引き回しが容易となる。
【００３９】
加えて、第１の端子部列ＲＴ１においては、第１のコンタクトセット３１０の信号コンタクトＣ１１，Ｃ１２の端子部３０４と信号コンタクトＣ１４，Ｃ１５の端子部３０４との間に、第２のコンタクトセット３２０の信号コンタクトＣ２２，Ｃ２３の端子部３０４が配置されている。従って、第１のコンタクトセット３１０の信号コンタクトＣ１１，Ｃ１２の端子部３０４と信号コンタクトＣ１４，Ｃ１５の端子部３０４との間の距離は、接続部３０２側と比較して広くなっている。これにより、信号コンタクトＣ１１，Ｃ１２の対と信号コンタクトＣ１４，Ｃ１５の対との間におけるクロストークの低減を図ることができる。同様に、第３の端子部列ＲＴ３においては、第３のコンタクトセット３３０の信号コンタクトＣ３１，Ｃ３２の端子部３０４と信号コンタクトＣ３４，Ｃ３５の端子部３０４との間に、第４のコンタクトセット３４０の信号コンタクトＣ４２，Ｃ４３の端子部３０４が配置されている。従って、第３のコンタクトセット３３０の信号コンタクトＣ３１，Ｃ３２の端子部３０４と信号コンタクトＣ３４，Ｃ３５の端子部３０４との間の距離は、接続部３０２側と比較して広くなっている。これにより、信号コンタクトＣ３１，Ｃ３２の対と信号コンタクトＣ３４，Ｃ３５の対との間におけるクロストークの低減を図ることができる。
【００４０】
本実施の形態においては、第１の端子部列ＲＴ１には、３対の信号コンタクトＣ１１，Ｃ１２，Ｃ２２，Ｃ２３，Ｃ１４，Ｃ１５の端子部３０４のみが配列されており、第３の端子部列ＲＴ３には、３対の信号コンタクトＣ３１，Ｃ３２，Ｃ４２，Ｃ４３，Ｃ３４，Ｃ３５の端子部３０４のみが配列されている。更に、第２の端子部列ＲＴ２には、グランドコンタクトＣ４１，Ｃ２１，Ｃ１３，Ｃ３３及び電源コンタクトＣ２４，Ｃ４４のみが配列されている。従って、第１の端子部列ＲＴ１と第３の端子部列ＲＴ３との間の干渉も防がれている。
【００４１】
図１、図２及び図１６乃至図１８を参照すると、本実施の形態によるシェル５００は、第１シェル部５１０と、第２シェル部５２０と、第３シェル部５３０との３つの部材から構成されている。
【００４２】
図１６に示されるように、第１シェル部５１０は、略四角筒状の形状を有しており、Ｘ方向及びＺ方向から構造体２００を覆うものである。上面部、底面部及び両側面部の各面部には、プラグ嵌合時にプラグのシェルと接触するバネ部５１２が形成されている。また、第１シェル部５１０の両側面部の下側からは、下側に向かって延びる接続ポスト５１４が形成されている。この接続ポスト５１４は、コネクタ１００を基板（図示せず）に搭載した際に基板上のグランドパターンに接続固定される部位である。本実施の形態による第１シェル部５１０の両側面部の前端近傍には、第１シェル部５１０の内側に向かって突出するように形成された係止部５１６が設けられている。
【００４３】
図１７に示されるように、第２シェル部５２０は、上下面にバネ部５２２を形成され、側部に設けられたタブには被係止部５２６として機能する孔が設けられている。この第２シェル部５２０は、図１から理解されるように、第１シェル部５１０に取り付けられて、開口５０２，５０４を規定するためのものである。第２シェル部５２０の第１シェル部５１０への取り付けは、第２シェル部５２０を第１シェル部５１０の前端から後ろ側に向けて挿入し、係止部５１６を被係止部５２６に係止させることにより、行われる。
【００４４】
図４及び図１８から理解されるように、第３シェル部５３０は、構造体２００の背面を覆うものである。本実施の形態における第３シェル部５３０は、構造体２００を保持する役割も有している。詳しくは、第１乃至第４の組立体２１０〜２４０をスタックした状態において、第１乃至第４の保持部材４１０〜４４０に第３シェル部５３０を嵌めることにより、第１乃至第４の組立体２１０〜２４０の前後（Ｙ方向）へのズレを防止して仮止めすることができる。
【００４５】
本実施の形態においては、第３シェル部５３０により仮止めされた構造体２００を第１シェル部５１０の後端側から前方に向けて挿入し、その後、第１シェル部５１０の前端から後方に向けて第２シェル部５２０を挿入して第１シェル部５１０に取り付けることにより、図１及び図２に示されるようなコネクタ１００を得ることができる。
【００４６】
上述したコネクタ１００に関しては、様々な変形や応用が可能である。例えば、図１９に示されるように、４組のソケットを備えるコネクタ１００′を構成した場合には、不要なクロストークを極力抑えつつ、接続部３０２側（プラグとの嵌合側）と比較して端子部３０４を２列も削減することができる。なお、図示された端子部列において、第１乃至第３の端子部列ＲＴ１〜ＲＴ３と端子部列ＲＴ１′〜ＲＴ３′とは夫々対応している。
【００４７】
また、図１乃至図３並びに図５及び図９から理解されるように、上述した実施の形態によるソケット１０２，１０４の夫々においては、相手側コネクタの嵌合部が挿入される開口が上側に位置しており、ハウジング４００の板部４１２，４３２が下側に位置しているが、開口と板部４１２，４３２の位置関係を逆転させて、開口を下側に位置させ、その下側にある開口に対して相手側コネクタの嵌合部を挿入することとしてもよい。
【符号の説明】
【００４８】
１００        コネクタ
１０２，１０４        ソケット
２００        構造体
２１０        第１の組立体
２２０        第２の組立体
２３０        第３の組立体
２４０        第４の組立体
３０２        接続部
３０３        接点部
３０４        端子部
３０６，３０８        凹部
３１０        第１のコンタクトセット
Ｃ１１，Ｃ１２，Ｃ１４，Ｃ１５        信号コンタクト
Ｃ１３        グランドコンタクト
３２０        第２のコンタクトセット
Ｃ２１        グランドコンタクト
Ｃ２２，Ｃ２３        信号コンタクト
Ｃ２４        電源コンタクト
３３０        第３のコンタクトセット
Ｃ３１，Ｃ３２，Ｃ３４，Ｃ３５        信号コンタクト
Ｃ３３        グランドコンタクト
３４０        第４のコンタクトセット
Ｃ４１        グランドコンタクト
Ｃ４２，Ｃ４３        信号コンタクト
Ｃ４４        電源コンタクト
ＲＣ１        第１の接続部列
ＲＣ２        第２の接続部列
ＲＣ３        第３の接続部列
ＲＣ４        第４の接続部列
ＲＴ１        第１の端子部列
ＲＴ２        第２の端子部列
ＲＴ３        第３の端子部列
４００        ハウジング
４１０        第１の保持部材
４１２        板部
４１３        溝部
４１４        位置決め部
４２０        第２の保持部材
４２４        位置決め部
４３０        第３の保持部材
４３２        板部
４３３        溝部
４３４        位置決め部
４４０        第４の保持部材
４４４        位置決め部
５００        シェル
５０２，５０４        開口
５１０        第１シェル部
５１２        バネ部
５１４        接続ポスト
５１６        係止部
５２０        第２シェル部
５２２        バネ部
５２６        被係止部
５３０        第３シェル部
【図１】
2011090800.tif 000003
【図２】
2011090800.tif 000004
【図３】
2011090800.tif 000005
【図４】
2011090800.tif 000006
【図５】
2011090800.tif 000007
【図６】
2011090800.tif 000008
【図７】
2011090800.tif 000009
【図８】
2011090800.tif 000010
【図９】
2011090800.tif 000011
【図１０】
2011090800.tif 000012
【図１１】
2011090800.tif 000013
【図１２】
2011090800.tif 000014
【図１３】
2011090800.tif 000015
【図１４】
2011090800.tif 000016
【図１５】
2011090800.tif 000017
【図１６】
2011090800.tif 000018
【図１７】
2011090800.tif 000019
【図１８】
2011090800.tif 000020
【図１９】
2011090800.tif 000021